Podtech/llm-jp-corpus-v4-ja_patent huggingface dataset:
(57)【要約】【課題】従来は冠婚葬祭の際、略礼服のまま現地へ向かうか、又は略礼服をスーツケースで持ち歩くかのどちらかである為、荷物になるのも大変だし、略礼服のまま寄り道するのも抵抗があり、特に葬祭帰りの場合は困りものである。本発明はこれらの事を解消するものである。【解決の手段】略礼服及びネクタイをリバーシブルにし、前ボタン▲３▼のシステムや胸ポケット▲９▼▲１１▼の形状、又上着を容易に裏返す事が出来るようにする事や、略礼服着用時の襟、裾、袖口の裏生地が見えないようにする工夫をした事である。【選択図】図４
2008163531.tif 000002
【特許請求の範囲】
【請求項１】
略礼服と一般のジャケットを表▲１▼と裏▲２▼に縫製する。
【請求項２】
一般のジャケットの縁を略礼服側から折り返し黒▲１▼の縁取りとし、略礼服使用時に袖口等から裏地▲２▼が見えないようにする。
【請求項３】
喪服用▲１３▼（黒）及び祝い用▲１３▼（白）のネクタイと一般のネクタイを表▲１３▼と裏▲１４▼に縫製する。
【請求項４】
一般のネクタイの縁を冠婚葬祭用側から折り返し、黒▲１３▼白▲１３▼の縁取りとして略礼服使用時にネクタイの両側等から裏地▲１４▼が見えないようにする。
【請求項５】
ボタンのシステム１、裏表にそれぞれ専用の物▲３▼を縫い付けておきそれぞれの身ごろはマジックテープで留める。
【請求項６】
ボタンのシステム２、袷目の両方にボタンホール▲５▼を付け、ボタン▲３▼は独立した形にする。二つのボタン▲３▼少し間隔を開けて糸▲７▼で結び、それぞれのボタンホール▲５▼に通し、使用する。
【請求項７】
ボタンのシステム３、袷目の両方にボタンホール▲５▼を付けそれぞれにボタン▲３▼を縫い付ける。
【請求項８】
胸ポケット▲９▼▲１１▼は両面共、内ポケットとして使用出来るように傾きを付けず水平にし、位置も少し低くする。尚、型くずれしない様にプラスチック等の芯材を入れる。
【請求項９】
両袖の袖口内側より脇の下を通り上着の両方の裾までファスナー▲１２▼を取付、完全に開くことが出来、裏返す事を容易に出来る様にした。
【発明の詳細な説明】
【技術分野】
【０００１】本発明は、略礼服をリバーシブルにし、冠婚葬祭時、現地に行くまでは一般ジャケットで、現地に到着すれば上着及びネクタイを裏返して略礼服として着用する事が出来る。特に葬祭時に役立つようにしたものである。
【背景技術】
【０００２】従来は略礼服のまま現地へ向かうか、又は略礼服をスーツケースで持ち歩くかのどちらかでした。
【発明の開示】
【発明が解決しようとする課題】
【０００３】これは次の様な問題点があった。
従来は冠婚葬祭の際、略礼服のまま現地へ向かうか、又は略礼服をスーツケースで持ち歩くかのどちらかである為、荷物になるのも大変だし、略礼服のまま寄り道するのも抵抗があり、特に葬祭帰りの場合は困りものである。本発明はこれらの事を解消するものである。
【発明が解決する為の手段】
【０００４】略礼服及びネクタイをリバーシブルにし、前ボタン▲３▼のシステムやポケット▲９▼▲１１▼の形状、又上着を容易に裏返す事が出来るようにする事や、略礼服着用時の襟、裾、袖口の裏生地が見えないようにする工夫をした事である。
【発明の効果】
【０００５】略礼服及びネクタイをリバーシブルにした為、冠婚葬祭の行き帰り余分な荷物が減り又、気兼ねなく寄り道が出来る様になった。
【発明を実施する為の最良の形態】
【０００６】以下、本発明の実施の形態について説明する。
イ）従来の略礼服をリバーシブルに縫製し、裏返すと一般のジャケットとして着用出来るようにした。
ロ）略礼服使用時に裏のジャケット生地▲２▼が見えないよう、ジャケット側に略礼服の生地▲１▼を折り返しジャケットの縁取りとした。
ハ）ネクタイも上記イ）ロ）と同様にリバーシブルにし、裏面を縁取りの形態とした。
ニ）ボタンのシステム１は裏表にそれぞれ専用のボタン▲３▼を縫い付けておき前の袷目はマジックテープ▲６▼によって留める様にする。
ホ）ボタンのシステム２は袷目の両方にボタンホール▲５▼を付け、ボタン▲３▼は独立した形にする。二つのボタン▲３▼は少し間隔を開けて糸▲７▼で結び、それぞれのボタンホール▲５▼に通し、使用する。
ヘ）ボタンのシステム３は袷目の両方にボタンホール▲５▼を付け、それぞれにボタン▲３▼を縫い付ける。
ト）胸ポケット▲９▼▲１１▼は両面共、内ポケットとして使用できる様に傾きを付けず水平にし、位置も少し低くする。
尚、型くずれしない様にプラスチック等の芯材を入れる。
チ）両袖の袖口内側より脇の下を通り上着の両方の裾までファスナー▲１２▼を取付、完全に開くことが出来、裏返す事を容易にした。
【図面の簡単な説明】
【０００７】
【図１】本発明を示した（略礼服側）の姿図である。
【図２】本発明を示した（一般ジャケット側）の姿図である。
【図３】本発明の裏表の生地の取り合い（縁取り）を示した詳細１である。
【図４】本発明の裏表の生地の取り合い（縁取り）を示した詳細２である。
【図５】本発明の前ボタンのシステム１を示した断面図である。
【図６】本発明の前ボタンのシステム２を示した断面図である。
【図７】本発明の前ボタンのシステム３を示した断面図である。
【図８】本発明の脇の下部分を示した見上げ図である。
【符号の説明】
▲１▼略礼服の黒生地
▲２▼一般ジャケットの生地
▲３▼前ボタン
▲４▼袖ボタン
▲５▼ボタンホール
▲６▼マジックテープ
▲７▼ボタン固定糸
▲８▼略礼服のポケット
▲９▼略礼服の胸ポケット
▲１０▼一般ジャケットのポケット
▲１１▼一般ジャケットの胸ポケット
▲１２▼ファスナー
▲１３▼礼服用のネクタイの生地
▲１４▼一般用のネクタイの生地
【図１】
2008163531.tif 000003
【図２】
2008163531.tif 000004
【図３】
2008163531.tif 000005
【図４】
2008163531.tif 000006
【図５】
2008163531.tif 000007
【図６】
2008163531.tif 000008
【図７】
2008163531.tif 000009
【図８】
2008163531.tif 000010
【図９】
2008163531.tif 000011
【手続補正書】
【提出日】平成19年2月23日(2007.2.23)
【手続補正２】
【補正対象書類名】明細書
【補正対象項目名】０００７
【補正方法】変更
【補正の内容】
【０００７】
【図１】本発明を示した（略礼服側）の姿図である。
【図２】本発明を示した（一般ジャケット側）の姿図である。
【図３】本発明の裏表の生地の取り合い（縁取り）を示した詳細１である。
【図４】本発明の裏表の生地の取り合い（縁取り）を示した詳細２である。
【図５】本発明の前ボタンのシステム１を示した断面図である。
【図６】本発明の前ボタンのシステム２を示した断面図である。
【図７】本発明の前ボタンのシステム３を示した断面図である。
【図８】本発明の脇の下部分を示した見上げ図である。
【図９】本発明のリバーシブルのネクタイを示した図である。
(57)【要約】【課題】  老人の要介護者数の増加を抑える為、運動機能向上を目的とした簡易温水プールを簡単に、安価で提供する。【解決手段】  浴槽上縁回りに、縦横に対して伸縮自在のフレームを設置する。そしてそのフレームにパネルを組み込み、さらに、浴槽上縁回りに設置したフレーム及びパネルを防水シートで覆うことで、プールとして機能出来る深さが確保できる。【選択図】図１
2008163709.tif 000002
【特許請求の範囲】
【請求項１】
浴槽の上縁回りに伸縮自在のフレーム及びパネルを設け、さらに浴槽上縁で組んだフレーム及びパネルを防水シートで覆うことを特徴とした簡易プール。
【発明の詳細な説明】
【技術分野】
【０００１】  本発明は、浴槽を温水プールのように、簡単、便利に利用できるようにする技術に関する。
【背景技術】
【０００２】  従来の一般的な温水プールは、特別な設備、施設を多額の費用をかけて設置しなければならず、また通所介護事業所も温水プールでの介護予防の為の筋力トレーニングに対する効果が確認できても設備投資が高く、家庭又は老人福祉施設等で専用プールを設置できなかった。
また、組み立て式の簡易プールもあるが、設置場所が必要かつ組み立ても面倒であった。また深さが浅いため、介護予防の為の筋力トレーニングができなかった。（例えば、特許文献１参照。）。また浴槽を利用し、縦型で立ったままで利用できるタイプのものもあるが、家庭用風呂に対応するもので、老人福祉施設等広い浴槽に対応できなかった（例えば、特許文献２参照。）。【０００３】
【特許文献１】特開２００１−９０３６４号公報
【特許文献２】特開平１１−３１８７３４号公報
【発明の開示】
【発明が解決しようとする課題】
【０００４】  以上に述べた従来の構造には、次のような課題があった。風呂は風呂としての利用、プールはプールとしての利用で兼用するという発想はなかった。【０００５】  また、温水プールはあるが老人専用のプールはなく、老人の健康維持、リハビリ及び筋力トレーニング等介護予防運動を目的としたプールは、多額の費用をかけて施設、設備を設置するしかなかった。【０００６】  本発明は、このような従来の構造が有していた問題を解決しようとするものであり、家庭用浴槽、老人介護施設の浴槽及び老人のための温泉施設の浴槽等を利用し、手軽にかつ安価に、介護予防運動である筋力トレーニングに活用できる簡易プールを提供することを目的とするものである。
【課題を解決するための手段】
【０００７】  本発明は、浴槽の上縁に伸縮自在のフレームを組み合わせ、浴槽の形状及び大きさに合わせ、ボルト及びナットで締め込む事で固定させる。そしてフレームにパネルをはめこむ。さらに浴槽の上縁に立ち上げたフレーム及びパネルに防水シートを被せることで、風呂として利用している浴槽をプールとして利用できる深さに変更できる。【０００８】  上記の課題解決手段による作用は次の通りである。すなわち、浴槽の上縁に伸縮自在のフレームを組んで高さを確保する。そしてフレームにパネルをはめこむ。さらに浴槽上縁で組んだフレーム及びパネルを防水シートで覆い防水することで、浴槽をプールとして活用できる深さにできる。以上の構造により通常の浴槽の深さを、体に水圧の付加がかかる深さに調整し、介護予防の為の温水プールとして、浴槽内での歩行運動を行い筋力トレーニングをすることができる。
【発明の効果】
【０００９】  上述したように本発明は、浴槽をプールと同等の深さにすることができ、家庭、老人介護施設、温泉施設等どんな浴槽でも、簡単に、早く、安く簡易プールとして活用でき、また組み立て式であるため、必要のないときはフレーム及びパネルをはずし、通常の風呂としての利用もできる。【００１０】  また、組み立て式なので移動が簡単で、かつ、フレームが伸縮自在のため、使用場所及び浴槽の大きさを問わず使用することができ、場所を限定せずに使用することができる。【００１１】  さらに、日常通い慣れている老人介護施設の浴槽もプールとして利用できるため、リラックスした気持ちで、温水プールでの筋力トレーニングを継続して行うことができ、介護予防につながり、行政による介護費用の支出を最小限にする事ができる。
【発明を実施するための最良の形態】
【００１２】  浴槽内側縁上部から下方に沿って１０ｃｍから２０ｃｍ程度接着剤を塗布し、その上から防水シートの端部を貼り付ける。防水シートの長さは浴槽内の縁回りの長さに合わせ、防水になるよう浴槽内の縁と防水シート端部を接着する。【００１３】  そして、浴槽上縁に縦は５００ｍｍから８００ｍｍ、横は１０００ｍｍから１５００ｍｍの伸縮自在のフレーム設け、パネルはめこむことで、浴槽の深さを調整できる。【００１４】  また、浴槽上縁に設置したフレーム及びパネルの数を増減させることで、浴槽の大きさ、形状にに合わせることができ、水圧を分散させる事が可能である。【００１５】  尚、フレーム及びパネルの素材については、ＦＲＰ、プラスチック、アルミ等本発明の目的及び効果を生じる範囲で必要に応じて適宜変更して実施することも可能である。【００１６】  また、フレーム及びパネル断面の形状においても、丸形、四角形等本発明の目的及び効果を生じる範囲で必要に応じて適宜変更して実施することも可能である。【００１７】  上記の構造により、浴槽上縁にフレームに支えられたパネルをに立ち上げたことを特徴とする簡易プールである。【００１８】  以下、本発明の実施の形態を図面に示した実施例に基づいて説明する。【００１９】  図１は、本発明にかかる簡易プールの実施例を示した断面図、図２は、実施例の正面図、である。【００２０】  本発明の簡易プールは、図１に示すように浴槽本体１、防水シート３、フレーム５、パネル６、フレーム支持部８で主要部が構成されている。【００２１】  以下、本発明の実施例を図面を参照して詳細に説明する。
【実施例】
【００２２】  図１に示すように、浴槽本体１の浴槽側縁部２の上部に接着材４を塗布し、防水シート３の端部を接着する。【００２３】  次に、浴槽本体１の縁回りに上下に伸縮自在のフレーム５を浴槽上縁に挟み、ボルトにより締め込み浴槽の回りに数カ所固定する。固定した伸縮自在のフレーム５にパネル６を組み込みむ。【００２４】  浴槽内側縁上部に接着した防水シート３の防水シートフック７を、フレーム５及びパネル６の上部に引っかけて防水シート３を立ち上げることで、簡易プール内での歩行等運動時適度な付加が体にかかるような深さにできる。【００２５】  なお、本発明は上記発明実施形態に限定されるものではなく、本発明の技術的思想に合致するものであれば、形状など適宜変更し実施することが可能である。
【図面の簡単な説明】
【００２６】
【図１】  本発明の実施例の簡易プール断面図
【図２】  本発明の実施例の正面図
【符号の説明】
【００２７】    １    浴槽本体
２    浴槽側縁部
３    防水シート
４    接着材
５    フレーム
６    パネル
７    防水シートフック
８    フレーム支持部
【図１】
2008163709.tif 000003
【図２】
2008163709.tif 000004
(57)【要約】【課題】  従来の炭焼き器及びその方法は土釜型であり（非特許文献参照）その運転は目視と経験という手法であった製品も均一でないものがほとんどである。【解決手段】  二重構造として内釜の内部に燃焼部材を設置し、燃やすのではなく、外釜とのすき間に高温空気を送り込み、釜円部でむし焼き状態にする事で、部材は、その形状を保った状態で炭化可能である。外部は耐火レンガを使用する方法と、鋼製に保温材を設置する方法があり、バーナーを使用する事で自動化も出来る。【選択図】図１
2008163269.tif 000002
【特許請求の範囲】
【請求項１】
炭焼き釜であるが、土釜ではなく、二重釜型式で材料をむし焼状況にし、均一な製作を（炭焼き）可能にする装置である。土釜（一重釜）方式は直接、炭焼部材を燃焼させる為に空気量の調節等、製造中の管理が必要であり又経験を有する作業であるが、二重釜構造は直接燃焼させる方法ではないので、安全面、管理面でも誰でもが部材（被燃焼物）を炭素化可能にする装置である。
【請求項２】
上記釜は直接火炊きを行わないので、（内釜に被燃焼物を納める）装置の大小により２ｔｏＮ運搬車輌もしくは４ｔｏＮ運搬車輌に積載する事によってどこにでも移動可能な装置である。
【発明の詳細な説明】
【技術分野】
【０００１】  本発明は移動可能な炭焼き釜（むし焼きタイプ）に関する。
【背景技術】
【０００２】  従来の炭焼き方法は土釜型（築窯製炭法）もしくは鉄板製もあるが、（すくない）一重構造であり、炊き口から真接、たき木等で、燃焼させる方法である。（非特許文献１参照）
【非特許文献１】書籍「炭焼革命」Ｐ３２，Ｐ５０  Ｐ．６２  牧野出著
【発明の開示】
【発明が解決しようとする課題】
【０００３】  前記の様に土釜型の炭焼方式は直火である為に被燃焼部材を灰にしてしまったりしてその管理が、むずかしく且つ、製品の仕上りが不均一である
【背景技術】
【０００４】  従来の炭焼方法は土釜型であり、釜円部、燃焼商品を設置し、たき口から直接たき木等で燃焼させる方法である。（非特許文献１参照）
【非特許文献１】本より土釜の構造図Ｐ．明記の事
【発明の開示】
【発明が解決しようとする課題】
【０００５】  前記の様に土釜型の炭焼き器は直火である為に被燃焼製品を灰にしてしまったり、（空気量が多いと）その管理が、困難であ且つ、製品が不均一である。
【問題を解決するための手段】
【０００６】  本発明は、従来の土釜では炭焼製品が、不均一なものであり、且つ、運転管理が、場合によって困難である（つきっきりで見なくてならない、）炭焼きを、密閉してむし焼にて、炭化させるという目的の装置である。
【０００７】  そして、直火を使用しないので、内釜に入れるものは全てが炭化させる事が可能であり、均一な製品を創出する事が出来る
【０００８】  更に、コンパクトである為に２ｔｏＮ等の、運搬車輌に積載可能であり、どこでも製品がある所に移動して、炭焼が可能である。
【０００９】  本発明は、このような従来の構成が有していた問題を解決しようとするものであり、又、車輌に積載する事で移動式にもなる。同時に、ガスバーナーを設置することで、自動化も可能になる。
【問題を解決するための手段】
【００１０】  本発明は従来の土釜では炭焼製品が、不均一であり且つ、運転管理が、場合によってつきっきりで監視しなくてはならない事を解決する、二重釜のむし焼き型で炭化させる目的の装置である。
【００１１】  そして、直火でないので、内釜に入れるものは全てが、元の形の状態で炭化させる事が可能であり、均一な製品を創出する事が出来る。
【００１２】  更に、コンパクトであるために、２ｔｏＮ等の運搬車輌に積載が可能であり、どこでも製品が作れるという機動性がある。
【００１３】  又たき木を使用しないで、バーナーを設置する事で、重油プロパン等の燃料を使用する事も可能である。
【００１４】  前述した様に、バーナーと温度センサー、タイマーを併設する事で、管理運転の自動化が計れる。
【発明の効果】
【００１５】  上述した様に本発明の炭焼き器は、均一化された炭を焼く事ができ、且つ、運転管理が容易である。
【００１６】  又、２ｔｏＮ、４ｔｏＮのトラック荷台に設置可能であり被燃焼物のあるどこへでも移動し、炭焼きできる利点がある。
【図面の簡単な説明】
【００１７】
【図１】  内部タンク（ＳＵＳ製）
【図２】  外部釜側面図
【図３】  外部釜正面図
【図４】  外部釜断面図
【図５】  酢液冷却装置及酢液貯留タンク
【符号の説明】
【００１８】    １．内部釜本体部（ＳＵＳ）
２．フランンジ
３．メクラふた
４．木酢液用パイプ
５．車輪
６．石綿パッキン
７．外部釜（耐火レンガ）
８．内部点検口（耐熱ガラス製）
９．炊き口
１０．土台（耐火レンガ）
１１．外部用エントツ（ＳＳ製）
１２．温度センサー
１３．原料（内部釜）取出入口
１４．酢液冷却水槽（ＳＳ製）
１５  同上架台（ＳＳ製）
１６  酢液貯留タンク架台（ＳＳ製）
１７  酢液貯留タンク（ＳＳ製）
１８  同上エントツ（ＳＳ製）
１９  レール
２０  外部釜原料取出口石綿パッキング
【図１】
2008163269.tif 000003
【図２】
2008163269.tif 000004
【図３】
2008163269.tif 000005
【図４】
2008163269.tif 000006
【図５】
2008163269.tif 000007
(57)【要約】【課題】２−アミノメチルピペリジンの調製方法を提供する。【解決手段】本発明は、一般式（Ｉ）、2008163025.tif 000006のアミノメチルピペリジンの調製方法であって、一般式（ＩＩ）、2008163025.tif 000007のシアノピリジンを、場合によりＮｉ、Ｆｅ、またはＣｏ含有触媒の存在下に、かつ場合によりアンモニアの存在下に、加圧下で水素を用いて水素化することによる方法に関する。【選択図】なし【特許請求の範囲】
【請求項１】
一般式（Ｉ）、
【化１】
2008163025.tif 000004
のアミノメチルピペリジンの調製方法であって、一般式（ＩＩ）、
【化２】
2008163025.tif 000005
のシアノピリジンを、場合によりＮｉ、Ｆｅ、またはＣｏ含有触媒の存在下に、かつ場合によりアンモニアの存在下に、加圧下で水素を用いて水素化することによる方法。
【請求項２】
温度が１０〜２００℃の範囲にあり、かつ圧力が５０〜３００ｂａｒの範囲にあることを特徴とする、請求項１に記載のアミノメチルピペリジンの調製方法。
【請求項３】
Ｎｉ、Ｆｅ、またはＣｏを含む触媒が使用されることを特徴とする、請求項１に記載のアミノメチルピペリジンの調製方法。
【発明の詳細な説明】
【技術分野】
【０００１】
本発明は、２−アミノメチルピペリジンの調製に関する。
【背景技術】
【０００２】
２−アミノメチルピペリジンは、医薬活性成分の製造に極めて重要なビルディングブロックである。このような医薬活性成分の一つがフレカイニド（flecainide）である。
【０００３】
フレカイニドの製造は、例えば（非特許文献１）および（非特許文献２）に記載されている。
【０００４】
２−アミノメチルピペリジンビルディングブロックを可能な最も簡単かつ最も経済的な方法で調製する試みはこれまで十分に行われてきた。これにより、（非特許文献３）および（非特許文献４）には、２−シアノピリジンから出発する調製が記載されている。しかしながら、ここに記載された方法は２段階であり、全体の収率は理論値の２０％をわずかに上回るに過ぎない。さらに、ここに記載されている手順の重大な欠点は、非常に高価な貴金属触媒（例えばＰｔＯ２等）を使用することにある。また、２段階目の還元段階は酢酸または他の鉱酸中で実施される。このようにすると、材料が腐食する危険性があるだけでなく、その主な欠点は、水に容易に溶解する２−アミノメチルピペリジンをその塩から単離するために多大な労力が余分に必要となることにある。（非特許文献５）および（非特許文献６）には、２−アミノメチルピペリジンの調製に２−アミノメチルピリジンを使用することが記載されている。しかしながら、この場合もやはり、上述した問題および工程上の欠点が依然として存在する。
【非特許文献１】Ｃｈｅｍ．Ｂｅｒ．、ＧＥ、第１１８巻第１１号、１９８５年、４６１６〜４６１９頁
【非特許文献２】Ｊ．Ｐｈａｒｍ．Ｓｃｉ．、ＥＮ、第８０巻第９号、１９９１年、８８７〜８９０頁
【非特許文献３】ＪＡＣＳ（１９４１）、４９０頁
【非特許文献４】ＪＡＣＳ（１９４６）、１３３０頁
【非特許文献５】Ｔｅｔｒａｈｅｄｒｏｎ  Ａｓｙｍｍｅｔｒｙ（１９９８年、１５９７頁）
【非特許文献６】Ｊ．Ｐｈａｒｍ．Ｓｃｉ．（１９９０年、７５０〜５３頁）
【発明の開示】
【発明が解決しようとする課題】
【０００５】
したがって、目的は、２−アミノメチルピペリジンを工業規模で簡単に調製することを可能にする技術的に実施可能かつ経済的な方法を見出すことにあった。
【課題を解決するための手段】
【０００６】
意外なことに、２−シアノピリジンから出発して、１段階で２−アミノメチルピペリジンに到達することが可能であることがここに見出された。この変換が、高価な貴金属触媒および追加の酸を使用することなく、かつ追加の溶媒も使用することなく簡単に実施可能であることも見出された。したがって本発明は、一般式（Ｉ）、
【０００７】
【化１】
2008163025.tif 000002
のアミノメチルピペリジンを調製するための方法であって、場合によりＮｉ、Ｆｅ、またはＣｏ含有触媒の存在下に、かつ場合によりアンモニアの存在下に、一般式（ＩＩ）、
【０００８】
【化２】
2008163025.tif 000003
のシアノピリジンを加圧下で水素により水素化することによる方法を提供する。
【０００９】
こうすることによって、場合によりニッケルおよび／またはコバルト含有触媒の存在下に希釈剤を用いることなく２−シアノピリジンを直接水素化することによって２−アミノメチルピペリジンが得られる、非常に効率的かつ経済的な２−アミノメチルピペリジンの調製が可能になる。触媒を濾去した後は、純粋な２−アミノメチルピペリジンが得られるように粗生成物を蒸留する。
【発明を実施するための最良の形態】
【００１０】
これは、好ましくは、１００〜２００℃および５０〜３００ｂａｒの圧力で実施される。
【００１１】
［実施例］
実施例１  ２−アミノメチルピリジンからの出発
Ｒａ−Ｎｉ ５５８４を５ｇおよび２−アミノメチルピリジンを１００ｇの混合物を２０ｂａｒの水素で処理し、次いで１６０℃に加熱した。水素圧を１８０ｂａｒに上昇させ、次いで、水素の吸収が完了するまで水素化を実施した。冷却および膨張(cooling and expansion)後、この系に窒素を通気し、触媒を濾過により除いた。結果として得られた粗生成物は２−アミノメチルピペリジンを９７％含んでいた。
【００１２】
実施例２  ２−アミノメチルピリジンからの出発
Ｒａ−Ｎｉ ５５８４を１０ｇおよび２−アミノメチルピリジンを１００ｇの混合物を２０ｂａｒの水素で処理し、次いで２００℃に加熱した。水素圧を１６０ｂａｒに上昇させ、次いで、水素の吸収が完了するまで水素化を実施した。冷却および膨張後、この系に窒素を通気し、触媒を濾過により除いた。結果として得られた粗生成物は２−アミノメチルピペリジンを９４．５％含んでいた。
【００１３】
実施例３  ２−アミノメチルピリジンからの出発
Ｎｉ−Ｆｅ−６６０６を５ｇおよび２−アミノメチルピリジンを１００ｇの混合物を２０ｂａｒの水素で処理し、次いで１６０℃に加熱した。水素圧を２００ｂａｒに上昇させ、次いで、水素の吸収が完了するまで水素化を実施した。冷却および膨張後、この系に窒素を通気し、触媒を濾過により除いた。結果として得られた粗生成物は２−アミノメチルピペリジンを６７．５％含んでいた。
【００１４】
実施例４  ２−シアノピリジンからの出発
Ｎｉ−５５８４を２５ｇおよび液体アンモニアを１２７．５ｇの混合物を１００ｂａｒの水素で処理し、１８０℃に加熱した。水素圧を１８０ｂａｒに上昇させた後、エタノール１２５ｇ中の２−シアノピリジン２５０ｇを６時間かけて添加した。水素の吸収が完了したら、この系を冷却し、膨張させ、窒素を通気し、そして触媒を濾過により除いた。結果として得られた粗生成物は２−アミノメチルピペリジンを５２％含んでいた。
(57)【要約】【課題】不老不死薬を作り最新科学応用で不老不死を完璧にする。【解決手段】ヒトｉＰＳ細胞初期化３遺伝子Ｏｃｔ３／４、Ｓｏｘ２、Ｋｌｆ４を取り出し増殖させ老人ヒト成人の体全体の細胞に行き渡り老化した各細胞の初期化を若い細胞になるまで戻すため経口用で脳や人体に害のないようにして飲むヒトｉＰＳ細胞初期化３遺伝子利用経口不老不死薬を作り不老不死にする。【選択図】なし【特許請求の範囲】
【請求項１】
（イ）ヒトｉＰＳ細胞技術応用体細胞を初期化するのに必要な３つの遺伝子のうちＯｃｔ３／４、Ｓｏｘ２で万能性維持とＫｌｆ４で体細胞が分化したことで得た情報を消しゴムのように消す働きをするのでヒト成人皮膚からこれら３つの遺伝子を取り出して増殖させる。
（ロ）増殖したこれら３つの遺伝子を老人ヒト成人の体全体の細胞に行き渡るように胃の胃酸等で壊れないようにして老化した各細胞の初期化を若い細胞になるまで戻すため経口用で脳や人体に害のないようにして飲む不老不死薬とする。
（ハ）その増殖は止まらないので老化はなくなり若返るしレトロウイルス培養とガン遺伝子には紫外線Ｂ波かビタミンＤでガンになるのを防ぐ。
以上の如く論理で導かれるヒトｉＰＳ細胞初期化３遺伝子利用経口不老不死薬。
【発明の詳細な説明】
【技術分野】
【０００１】本発明は、ヒトｉＰＳ細胞初期化３遺伝子利用経口不老不死薬に関する。
【背景技術】
【０００２】従来、ヒトｉＰＳ細胞初期化３遺伝子利用経口不老不死薬ヒトに関する技術はなかった。【０００３】
【非特許文献１】「日経サイエンス」２００８年１月号、６８頁から７６頁。
【非特許文献２】「ニュートン」２００８年２月号、７０頁から７５頁。
【発明の開示】
【発明が解決しようとする課題】
【０００４】  従来、ヒトｉＰＳ細胞初期化３遺伝子利用経口不老不死薬に関する技術はなかったので最新技術よって実現させる。
【課題を解決するための手段】
【０００５】  ヒトｉＰＳ細胞初期化３遺伝子を取り出し増殖させ老人ヒト成人の体全体の細胞に行き渡り老化した各細胞の初期化を若い細胞になるまで戻すため経口用で脳や人体に害のないようにして飲む。
【発明の効果】
【０００６】  不老不死の肉体を保てる。
【発明を実施するための最良の形態】
【０００７】    以下、本発明の実施例について時系列的論理的に文章で説明する。先ず、ヒトｉＰＳ細胞初期化３遺伝子のうちＯｃｔ３／４、Ｓｏｘ２で万能性維持とＫｌｆ４で体細胞が分化したことで得た情報を消す働きのものをヒト成人皮膚からこれら３遺伝子を取り出して増殖させる。増殖したこれらの３遺伝子を胃の胃酸等で壊れないようにして老人ヒト成人の体全体の細胞に行き渡り老化した各細胞の初期化を若い細胞になるまで戻すため経口用で脳や人体に害のないようにして飲む不老不死薬とする。その増殖は止まらないので老化はなくなり若返るしレトロウイルス培養とガン遺伝子には紫外線Ｂ波かビタミンＤでガンになるのを防ぐ。
以上の如く論理で導かれるヒトｉＰＳ細胞初期化３遺伝子利用経口不老不死薬。
【実施例】
【０００８】      上記の如く実施される。
【産業上の利用可能性】
【０００９】      ヒトｉＰＳ細胞初期化３遺伝子利用経口不老不死薬技術も大きく進歩を遂げ高齢化が進む中この薬の需要の産業上の利用可能性は高いと解される。
(57)【要約】      （修正有）【課題】居室親機に音（音響）データが記憶されている記憶媒体を居室親機に装着する事で、呼出音を自分の好みの音とすることができるインターホン装置を提供する。【解決手段】戸建て住宅の門扉又は玄関に設置されて居住者を呼び出すための玄関子機と、室内に設置されて前記玄関子機からの呼び出しに応答するための居室親機とから構成されたインターホン装置において、居室親機には、音データが記憶された記憶媒体を装着可能な記憶媒体スロットと、玄関子機から呼び出された時の呼出音データが記憶された居室親機記憶部と、記憶媒体が記憶媒体スロットに装着されたときに、音データを居室親機記憶部に転送し、玄関子機から呼び出された時の呼出音として設定制御する制御部を備える。【選択図】図１
2008252332.tif 000002
【特許請求の範囲】
【請求項１】
戸建て住宅の門扉又は玄関に設置されて居住者を呼び出すための玄関子機（１）と、室内に設置されて前記玄関子機からの呼び出しに応答するための居室親機（２）とから構成されたインターホン装置において、
前記居室親機には、音データが記憶された記憶媒体（３）を装着可能な記憶媒体スロット（２０５）と、前記玄関子機から呼び出された時の呼出音データが記憶された居室親機記憶部（２０３）と、前記記憶媒体が前記記憶媒体スロットに装着されたときに、前記音響データを前記居室親機記憶部に転送し、前記玄関子機から呼び出された時の呼出音として設定制御する制御部（２０４）を備えた事を特徴とするインターホン装置。
【発明の詳細な説明】
【技術分野】
【０００１】
本発明は、インターホン装置に係り、音響データが記憶された記憶媒体を居室親機に装着した時、記憶媒体のデータが居室親機に転送され、呼出音として設定されるインターホン装置に関する。
【背景技術】
【０００２】
従来のインターホン装置では、ドアホン子機にて呼出操作されたときに、ドアホン子機及び居室親機に呼出音が鳴動されるシステムがある。特に、複数の呼出音データが予め記憶され、ドアホン子機から呼出操作されたときの呼出音を変更することができるインターホン装置が開示されている（例えば、特許文献１を参照）。
【０００３】
【特許文献１】特開２００２−２５２７１０
【発明の開示】
【発明が解決しようとする課題】
【０００４】
しかしながら、特許文献１において、ドアホン子機から呼び出されたとき、呼出音が自分の好みの音にすることができなかった。また、呼出音を変更することができても予め記憶された呼出音しか選択することができなかった。
そこで、本発明は上記問題点に鑑み成されたもので、居室親機に音（音響）データが記憶されている記憶媒体を居室親機に装着する事で、呼出音を自分の好みの音とすることができるインターホン装置を提供する事を目的としている。
【課題を解決するための手段】
【０００５】
本発明は、この難点を解消するためになされたもので、戸建て住宅の門扉又は玄関に設置されて居住者を呼び出すための玄関子機と、室内に設置されて玄関子機からの呼び出しに応答するための居室親機とから構成されたインターホン装置において、居室親機には、音響データが記憶された記憶媒体を装着可能な記憶媒体スロットと、玄関子機から呼び出された時の呼出音データが記憶された居室親機記憶部と、記憶媒体が記憶媒体スロットに装着されたときに、音響データを居室親機記憶部に転送し、玄関子機から呼び出された時の呼出音として設定制御する制御部を備えた事を特徴とするインターホン装置を提供する。
【発明の効果】
【０００６】
本発明のインターホン装置によれば、自分の好みの音（音響）が記憶された記憶媒体を居室親機に装着させるだけで、呼出音に設定することができる。
【０００７】
【発明を実施するための最良の形態】
【０００８】
以下、本発明のインターホン装置を実施するための最良の形態例について、図面を参照して説明する。
【０００９】
図１は、本発明の第１の実施例によるインターホン装置の具体的な構成を示すブロック図であり、玄関子機１、居室親機２、記憶媒体３で構成される。
【００１０】
玄関子機１は、居室親機２との音声信号を送受信する為のマイク１０１、スピーカ１０２、居室親機２を呼び出すための呼出通話ボタン１０３を備えている。
居室親機２は、居室親機２を制御するＣＰＵ２０４と、玄関子機１と通話／終話するための通話ボタン２０６と、玄関子機１との音声信号を送受信する為の音響部２０２と、マイク２０８と、スピーカ２０７と、記憶媒体３を装着する記憶媒体スロット２０５と、呼出音データを記憶している居室親機記憶部２０３と、玄関子機親機Ｉ／Ｆ２０１を備えている。
【００１１】
このように構成されたインターホン装置について以下、具体的な動作について説明する。
玄関先にいる来訪者が居住者を呼び出すための玄関子機１の呼出通話ボタン１０３を押下すると、居室親機２のＣＰＵ２０４が呼出を検出する。ＣＰＵ２０４にて呼出が検出されると、居室親機記憶部２０３に記憶されている音（音響）データにより居室親機２のスピーカ２０７及び玄関子機１のスピーカ１０２にて呼出音を鳴動させることができる。これを確認した居住者が、居室親機２の通話ボタン２０６を押下すると、玄関子機１と居室親機２との間で音声信号の送受信伝送が可能となり、通話することができる。玄関先にいる来客者との通話を終了する場合は、居室親機２の通話ボタン２０６を再度押下する事によって音声信号の伝送を終了させる事ができる。
【００１２】
居室親機２のスピーカ２０７及び玄関子機１のスピーカ１０２から鳴動する呼出音を変更する動作について説明する。
記憶媒体３を居室親機２の記憶媒体スロット２０５に装着すると、記憶媒体３に記憶されている音（音響）データはＣＰＵ２０４によって、居室親機記憶部２０３に転送制御される。このとき、転送された音（音響）データは呼出音として設定され、以後玄関子機にて呼び出し操作されると、設定された呼出音が居室親機２のスピーカ２０７及び玄関子機１のスピーカ１０２にて鳴動される。
【００１３】
なお、記憶媒体に記憶される音（音響）データの符号化形式はＭＰＥＧ−２／４  ＡＡＣ（Ａｄｖａｎｓｅｄ  Ａｕｄｉｏ Ｃｏｄｉｎｇ）又は、ＭＰＥＧ−１  Ａｕｄｉｏ  Ｌａｙｅｒ３であると、データサイズが小さくなり好適である。
【図面の簡単な説明】
【００１４】
【図１】本発明の実施例によるインターホン装置の具体的な構成を示すブロック図。
【符号の説明】
【００１５】
１                玄関子機
２                居室親機
３                記憶媒体
２０３        居室記憶部
２０４        ＣＰＵ
２０５        記憶媒体スロット
【図１】
2008252332.tif 000003
(57)【要約】  【課題】 床型枠に組み立てられた床筋及び梁筋に簡単に取り付けられると共に、床厚と床面の水平が確実に保持できる構築用スペーサーを提供する。 【解決手段】 鉄筋Ａ，Ｂに装着すべく、Ｕ型のネジ棒３ｅと蝶ナット２ａと座金２ｂで形成した固定具の適所に、床厚と水平を確実に保持する基準の棒を一体に設けた構成である。基準の棒は安全を考慮し上下をスプリングもしくは軟質部材で接続し自在に転倒かつ自立ができる構造とした。またコンクリートの打設時にスプリングに砂が絡むのを防止するゴム系の筒を装着した。    【選択図】  図１
2008280840.tif 000002
【特許請求の範囲】
【請求項１】
鉄筋に装着すべく、Ｕ型のネジ棒と蝶ナットと座金で形成した固定具の適所に、床厚と床面の水平を確実に保持する基準の丸棒またはネジ棒を一体に設け、丸棒もしくはネジ棒を安全作業を考慮し、棒の中間に連結具としてスプリングもしくは軟質部材で固定して、自在に基準の棒が転倒かつ自立する構造とし、コンクリートの打設時に、連結具がスプリングの場合は、砂が絡むのを防止するゴム系の筒を装着したことを特徴とする構築用スペーサー。
【発明の詳細な説明】
【技術分野】
【０００１】
この発明は、コンクリート構造物の主に床を構築する場合において、床を貫通する事なく鉄筋に直接取付けられ、床厚と床面の水平を保持する構築用スペーサーに関する。
【背景技術】
【０００２】
従来のこの種の構築用スペーサーにおいては鉄筋を縦筋及び横筋に垂直に溶接するか結束線にて鉄筋又は棒を固定し代用している。鉄筋に溶接すると構造物の強度の低下を引き起こし、結束線にて鉄筋又は棒を固定すると不安定であると共に、生コンクリートの打設作業がバイブレーターのホースと電気コードが絡み作業が困難である。また鉄筋を床厚の長さに切断したものを縦筋及び横筋に垂直に溶接して取り付けているが作業に多大の労力を要するものである。
【発明の開示】
【発明が解決しようとする課題】
【０００３】
この発明は、上記問題点に鑑みなされたもので、その目的は床型枠に組立てられた床筋に簡単に取り付けられると共に、コンクリート断面における構造上の欠損を極力最小限にし、床厚と床面の水平が確実に保持できる構築用スペーサーを提供するものである。また従来のこの種の構築用スペーサーにおいては鉄筋が吐出し、生コンクリートの打設作業でバイブレーターのホースと電気コードが絡み作業が困難であった、この問題点を基準の棒が作業中は自在に転倒し自立ができる構築用スペーサーを提供するものである。
【課題を解決するための手段】
【０００４】
上記目的を解決するため、この発明は鉄筋に装着すべくＵ型のネジ棒と蝶ナットと座金で形成した固定具の適所に、床厚と同様か少し長めの測量棒を一体に設ける。
【発明の効果】
【０００５】
この発明は、上記の構成により床型枠上に組み立てられた床筋に簡単に取付けられ、しかも床厚と水平又は高さを印すことで、コンクリートの高さが正確に確保できるものである。また従来のこの種の構築用スペーサーにおいては鉄筋が吐出し、生コンクリートの打設作業でバイブレーターのホースと電気コードが絡み作業が困難であった、この問題点を基準の棒が作業中は自在に転倒かつ自立ができる構築用スペーサーを提供するものである。
【発明を実施するための最良の形態】
【０００６】
この発明の構築用スペーサーは、まず床筋にＵ型のネジ棒と蝶ナットと座金で組立てられた固定具を装着し、締め付け固定する。この状態ですでに測量棒は垂直方向に突出されており、測量棒の部材３ｂを上下することで高さを測量し、部材３ｂの上下にあるナットで正確に固定が可能とした。また測量棒３ｄが自在に転倒かつ自立ができるスプリング３ｃを設け、砂が絡まないようにゴム系の筒で部材３ｆを装着した測量棒である。
【０００７】
以下、この発明の実施例を図１に基づいて詳細に説明する。１は構築用スペーサーである。２は固定具で、鉄筋に固定すべく、Ｕ型のネジ棒３ｅと蝶ナット２ａ座金２ｂとを組立てて形成してある。３は鉄筋固定部に垂直方向に床厚と同様か少し長めの棒を有し、先端に危険防止の保護部材３ａを設けている、高さは３ｂを上下に調整し測量位置を設定でき、設定後は上下にある３ｇで締付ける事で正確に固定ができる。３ｄと３ｅの連結はスプリングもしくは軟質部材で固定され、自在に転倒かつ自立ができる構造とした。部材３ｃがスプリングの場合は砂が絡まないようにゴム系の筒で部材３ｆを装着した測量棒である。
【０００８】
この実施例の使用例として、図２に示すように予め配筋された鉄筋ＡまたはＢに、Ｕ型の一体的に形成してある固定部２を適宣装着し、鉄筋ＡまたはＢに２ａで締め付けて固定する。この状態で垂直方向に突出した測量棒３に、高さを３ｂで印すことで床厚と床面の高さが正確に確保できるものである。
【０００９】
なお、上記の測量棒は丸棒またはネジ棒で長さは床厚によって変更するものです。また、縦筋固定部及び横筋固定部は縦筋及び横筋の外径寸法に限らず兼用できる形状である。
【図面の簡単な説明】
【００１０】
【図１】この発明の１実施例を示す構築用スペーサーの斜視図。
【図２】この発明の１実施例を示す一部断面図。
【図３】この発明の構築用スペーサーの平面図、正面図、側面図
【図４】この発明の構築用スペーサーの取付け手順
【符号の説明】
【００１１】
１ 構築用スペーサー
２ 固定具
３ 測量棒
Ａ 縦筋
Ｂ 横筋
Ｃ 床筋
Ｄ 床型枠
【図１】
2008280840.tif 000003
【図２】
2008280840.tif 000004
【図３】
2008280840.tif 000005
【図４】
2008280840.tif 000006
(57)【要約】【課題】  従来の符号錠の暗証番号は、あらかじめ符号リングに符号を刻印、印刷されたものでしか使用できない。暗証番号を様様な文字、数字等に設定、変更可能な符号錠を提供する。【解決手段】  錠本体１に備えられた固定ピン付きリング９と、数字や文字等の刻印、印刷が可能なブロック体１０を個別に外せる構造とし、ブロック体１０を固定ピン付きリング９の固定ピン８に挿入、入れ換えすることで暗証番号を自由に設定、変更する事が可能となる。【選択図】図１
2008280823.tif 000002
【特許請求の範囲】
【請求項１】
錠本体１に備えられた固定ピン付きリング９と、数字や文字等の刻印、印刷が可能なブロック体１０を個別に外せる構造とし、ブロック体１０を固定ピン付きリング９の固定ピン８に挿入、入れ換えすることで暗証番号を自由に設定、変更する事が可能な符号錠。
【請求項２】
錠本体１の固定ピン付きリング９に備えられた固定ピン８に挿入孔１４をはめ込む事で暗証番号として使用でき、符号や文字等を刻印、印刷することが可能な印刷面１１を備えたブロック体１０
【発明の詳細な説明】
【技術分野】
【０００１】  本発明品は符号錠に関するものである。符号錠には主にチェーンロックで使用するタイプや南京錠で使用するタイプがある。
【背景技術】
【０００２】  一般的にある暗証番号の変更可能な符号錠として主に（特許文献１）実公昭５５−２０９３１号、（特許文献２）実公昭６０−１３９７２号等が上げられる。
符合リングと中間リングの係合を外せる構造とし、中間リングの位置を変えることで暗証番号を変更できるようになっている。
【特許文献１】実公昭５５−２０９３１号公報
【特許文献２】実公昭６０−１３９７２号公報
【発明の開示】
【発明が解決しようとする課題】
【０００３】  従来の符号錠の暗証番号は、あらかじめ符号リングに符号を刻印、印刷されたものでしか使用できない。暗証番号を様様な文字、数字等に設定、変更可能な符号錠を提供する。
【課題を解決する為の手段】
【０００４】  錠本体１に備えられた固定ピン付きリング９と、数字や文字等の刻印、印刷が可能なブロック体１０を個別に外せる構造とし、ブロック体１０を固定ピン付きリング９の固定ピン８に挿入、入れ換えすることで暗証番号を自由に設定、変更する事が可能となる。
【発明の効果】
【０００５】  ブロック体１０の印刷面１１は数字、文字、図、点字などを刻印、印刷できるため様様な暗証番号を使える符号錠にすることができる。ブロック体１０を固定ピン付きリング９の固定ピン８にはめ込むだけで組み立てが可能なので、従来の（特許文献１）や（特許文献２）などの複雑な機構を持つ必要が無い。
【０００６】  また、暗証番号を変更する場合には、開錠されている状態で暗証番号として設定されているブロック体１０を固定ピン付きリング９の固定ピン８から取りだし、別の数字や文字などが書かれたブロック体１０と交換するだけで変更可能である。
【発明を実地する為の最良の形態】
【０００７】  最初に開錠されている状態で錠本体１に表示されてる合わせマーク１２に合わせて暗証番号となるブロック体１０を固定ピン付きリング９の固定ピン８に装着し設定する必要がある。次に開いている固定ピン８にランダムで選んだブロック体１０をダミーとしてすべてはめ込むとよい。（図１参照）
【産業上の利用可能性】
【０００８】  あらゆる文字をブロック体１０に刻印、印刷できるので様様な国の文字に対応が可能であり、簡単な図、点字なども表示できる。
【図面の簡単な説明】
【０００９】
【図１】  実地例（０００７）を示した側面図である。
【図２】  錠本体１のブロック体１０をすべて外した状態を示した側面図である。
【図３】  錠本体１にブロック体１０をすべてはめ込んだ状態を示した側面図である。
【図４】  実地例（０００７）を示した正面断面図である。
【図５】  錠本体１のブロック体１０をすべて外した状態を示した正面断面図である。
【図６】  錠本体１にブロック体１０をすべてはめ込んだ状態を示した正面断面図である。
【図７】  固定ピン付きリング９を示した正面断面図である。
【図８】  固定ピン付きリング９を示した側面図である。
【図９】  ブロック体１０を示した側面図である。
【符号の説明】
【００１０】  １  錠本体
２  中心管
３  連結軸
４  キー本体
５  くし歯
６  仕切り板
７  固定バネ
８  固定ピン
９  固定ピン付きリング
１０  ブロック体
１１  印刷面
１２  合わせマーク
１３  ダイヤル部
１４  挿入孔
１５  内孔
１６  凹溝部
【図１】
2008280823.tif 000003
【図２】
2008280823.tif 000004
【図３】
2008280823.tif 000005
【図４】
2008280823.tif 000006
【図５】
2008280823.tif 000007
【図６】
2008280823.tif 000008
【図７】
2008280823.tif 000009
【図８】
2008280823.tif 000010
【図９】
2008280823.tif 000011
(57)【要約】【課題】密閉型圧縮機のシャフトの偏心軸と、これに嵌接されているピストンとの摺動面積を減少させることにより摺動損失を低減させ、高効率の密閉型圧縮機を提供する。【解決手段】シャフト６の偏心軸７に、偏心軸７に摺動部の外径より小さい径の円形溝１４を設けることにより、ピストン８のがたつきを抑制しつつ、シャフト６とピストン８との間の摺動面積を少なくし、摺動損失を低減させることで高効率な密閉型圧縮機を提供する。【選択図】図１
2008280964.tif 000002
【特許請求の範囲】
【請求項１】
密閉容器内に電動機要素と、この電動機要素によって駆動される圧縮機要素をそれぞれ設け、前記圧縮機要素は偏心軸とこれに嵌接摺動するローリングピストンとを有し、前記シャフトの偏心軸はその外周部に円形溝を設けたものである密閉型圧縮機。
【請求項２】
円形溝の幅は、偏心軸の幅より小さいことを特徴とする請求項１記載の密閉型圧縮機。
【請求項３】
塩素を含まないＨＣＦＣやＨＦＣ等を冷媒とした請求項１記載の密閉形圧縮機。
【請求項４】
二酸化炭素やアンモニア等の自然冷媒を冷媒とした請求項１記載の密閉形圧縮機
【発明の詳細な説明】
【技術分野】
【０００１】
本発明は冷凍サイクルを構成する密閉型圧縮機に関し、特にそのシャフトの構造に関するものである。
【背景技術】
【０００２】
従来、空調機用等の密閉型圧縮機のシャフトは、偏心軸の一部を切り欠いた構造をしている。従来の例の構成を図３、図４に従い説明する。密閉容器の内部に、固定子と回転子からなる電動機要素と、この電動機要素によって、シャフトを介して駆動される圧縮機要素がそれぞれ配設されて密閉型圧縮機を構成している。
【０００３】
圧縮機要素は、シャフトと、シャフトの偏心軸に嵌接されたピストンと、このピストンを収納する円筒状のシリンダと、このシリンダの両端開口を閉塞する上側軸受端板と、下側軸受端板により構成されている。この上下の軸受端板は互いに対をなしシャフトを回転自在に支持している。また、図３に示すように、シャフトは上部軸１２、偏心軸７、下部軸１３の３つの部分からなっている。
【０００４】
以上のように構成された、従来の密閉型圧縮機についてその作用を説明する。電動機要素が運転されると、冷媒はシリンダ内に吸入され、ピストンの回転に伴って圧縮され、圧縮された冷媒は密閉容器内に吐出される。
【０００５】
シャフトの偏心軸とピストンは密閉型圧縮機の運転中、常に相対運動をしており、摺動損失が生じている。従来、偏心軸とピストンとの摺動損失が大きいという課題があった。
【０００６】
このような問題への解決策として、シャフト偏心軸の負荷の低い側に、偏心軸に対して段落ちさせた切り欠きを設け、油による潤滑促進を図る方法が知られている（例えば、特許文献１参照）。
【特許文献１】特開平５−３４０３７０号公報
【発明の開示】
【発明が解決しようとする課題】
【０００７】
しかしながら、上記のような構造では、シャフトの偏心軸とそれに嵌接されているピストンとの摺動面積が大きく、摺動損失が大きいという課題があった。
【０００８】
本発明は上記課題に鑑みてなされたものであり、摺動面積を小さくし高効率な密閉型圧縮機を提供することを目的とする。
【課題を解決するための手段】
【０００９】
上記課題を解決するために、本発明はシャフトの偏心軸に偏心軸の径より小さい径の円形溝を設ける。
【００１０】
これによって、ピストンのがたつきを抑制しつつ、摺動面積を小さくし、摺動損失を低減することが出来る。
【発明の効果】
【００１１】
本発明の圧縮機用シャフトは、シャフト偏心軸とピストンとの摺動損失を低く抑え、効率の高い圧縮機を提供することができる。
【発明を実施するための最良の形態】
【００１２】
第１の発明は、圧縮機要素を構成するシャフトの偏心軸に、前記偏心軸の外径より小さい外径の円形溝を設けることにより、摺動面積を小さくし、摺動損失を抑制することが出来る。また、偏心軸の上下端にてピストンを保持することにより、ピストンのがたつきを抑え、ピストン端面での漏れを防ぐ。
【００１３】
以下、本発明の実施の形態について、図面を参照しながら説明する。なお、以下に記載する実施の形態により本発明が限定されるものではない。
【００１４】
（実施の形態１）
図１は、本発明の一実施例を示す密閉型圧縮機の主要部を示すものである。図１において、シャフト６の偏心軸７に、偏心軸７の径より小さい径の円形溝１４を設けている。
【００１５】
電動機要素４が運転されると、回転子３が駆動され、この回転子３の駆動に伴って、シャフト６を介してピストン８が駆動され、ピストン８の回転に伴って冷媒がシリンダ９内に吸入され、圧縮、吐出される。
【００１６】
圧縮機の運転時では、シャフト６とピストン８は常に相対運動し、摺動している。従来では、シャフト６と偏心軸７との接触面積が大きく、摺動損失が発生していた。本発明におけるシャフト６の偏心軸７に設けられた円形溝１４により、摺動面積を低減することが出来、また、ピストンのがたつきを抑え、圧縮機の性能向上を実現することが出来る。
【産業上の利用可能性】
【００１７】
以上のように、本発明における密閉型圧縮機は、摺動面積の低減とピストンのがたつきを抑えることが出来、高効率の密閉型圧縮機を提供するとが出来る。
【図面の簡単な説明】
【００１８】
【図１】本発明の一実施例を示す密閉型圧縮機の断面図
【図２】同シャフトの側面図
【図３】従来例のシャフトの側面図
【図４】同圧縮機の縦断面図
【符号の説明】
【００１９】
１    密閉容器
２    固定子
３    回転子
４    電動機要素
５    圧縮機要素
６    シャフト
７    偏心軸
８    ピストン
９    シリンダ
１０  上側軸受端板
１１  下側軸受端板
１２  上部軸
１３  下部軸
１４  円形溝
【図１】
2008280964.tif 000003
【図２】
2008280964.tif 000004
【図３】
2008280964.tif 000005
【図４】
2008280964.tif 000006